(57)【要約】【課題】プラグとの繰り返しの挿抜によるジャックの抜去力低下を軽減する。【解決手段】ボディ７０に取り付ける取付片６１の一端を折り返して、プラグとの接続時に、プラグを押圧しながら接触するばね性を持った可動接片６０を形成し、取付片６１から突片６５を立ち上げて、可動接片６０の過剰な変位を制限するジャックにおいて、取付片６１に、突片６５を立ち上げる片持ち梁状のばね片６６を形成し、ボディ７０とばね片６６との間に、ばね片６６を撓ませるための隙間８１を設け、可動接片６０が突片６５に接触しても、ばね片６６が隙間８１で撓むことで、互いの接触面６２Ａ，６５Ａに生じる削れを低減することで、ジャック１０の抜去力低下を軽減する。【選択図】図５
2008098018.tif 000002
【特許請求の範囲】
【請求項１】
絶縁体に取り付ける取付片の一端を折り返して、相手方コネクタとの接続時に、相手方コネクタを押圧しながら接触するばね性を持った可動接片を形成し、取付片から突片を立ち上げて、可動接片の過剰な変位を制限するコネクタにおいて、取付片に、突片を立ち上げる片持ち梁状のばね片を形成し、絶縁体とばね片との間に、ばね片を撓ませるための隙間を設けたことを特徴とするコネクタ。
【請求項２】
取付片から切り起した爪片を、絶縁体に設けた係合部に係合させて、ばね片を絶縁体との隙間の上に位置決めする請求項１に記載のコネクタ。
【発明の詳細な説明】
【技術分野】
【０００１】
本発明は、例えば携帯型電子機器に用いる電源ジャック等のコネクタに関し、特に、相手方コネクタとの接続時に、その相手方コネクタを押圧しながら接触するばね性を持った可動接片を備えるコネクタに関する。
【背景技術】
【０００２】
図６は従来のコネクタの可動接片構造を示す断面図である。図６において、可動接片１は取付片２に対してその左端から折り返し状に形成され、取付片２から切り起こした突片３が可動接片１の裏面側（下面側）に立ち上がっている。この可動接片１は取付片２裏面（下面）全面をコネクタの絶縁体４の内または外の表面５に密着させた状態で絶縁体４に取り付けられ、取り付け状態では、絶縁体４の表面５上にある空間６に突出されている。そして、相手方コネクタとの接続時に、空間６に左から右に嵌合される相手方コネクタが可動接片１を接触後に摺動して押し下げると、可動接片１は左端の固定端を支点に下向きに撓み（揺動し）、相手方コネクタを押圧しながら接触する。また、可動接片１は図６の実線位置から仮想線位置に変位した時点で突片３に突き当たり、それ以上の過剰な変位が制限される。このような従来コネクタは、例えば特許文献１で知られている。
【特許文献１】特開２００１−２３００２９号公報
【発明の開示】
【発明が解決しようとする課題】
【０００３】
従来のコネクタの可動接片においては、突片３が絶縁体４の表面５から直接立ち上がるため、相手方コネクタとの接続・分離に伴う可動接片１と突片３との干渉量が大きく、互いの接触面１Ａ，３Ａに削れが生じ、相手方コネクタとの分離力低下の原因になっていた。
【０００４】
本発明は、相手方コネクタとの繰り返しの接続・分離によるコネクタの分離力低下を軽減することを目的としている。
【課題を解決するための手段】
【０００５】
本発明は、絶縁体に取り付ける取付片の一端を折り返して、相手方コネクタとの接続時に、相手方コネクタを押圧しながら接触するばね性を持った可動接片を形成し、取付片から突片を立ち上げて、可動接片の過剰な変位を制限するコネクタにおいて、取付片に、突片を立ち上げる片持ち梁状のばね片を形成し、絶縁体とばね片との間に、ばね片を撓ませるための隙間を設けたことを特徴とする。
【０００６】
また、本発明においては、取付片から切り起した爪片を、絶縁体に設けた係合部に係合させて、ばね片を絶縁体との隙間の上に位置決めすることが好ましい。
【発明の効果】
【０００７】
本発明によれば、相手方コネクタとの接続・分離時に、可動接片が突片に接触しても、ばね片が絶縁体との隙間で撓むので、互いの接触面に生じる削れを低減することができる。従って、相手方コネクタとの繰り返しの接続・分離による分離力低下を軽減することができる。
【０００８】
また、ばね片が撓む反力により、こじり強度が損なわれることなく、相手方コネクタとの繰り返しの接続・分離による分離力低下を軽減することができる。
【発明を実施するための最良の形態】
【０００９】
以下、本発明に係る実施の形態を図１〜図５を参照して説明する。図１は本発明に係る一実施の形態によるコネクタの正面，平面，左側面の外観を示す斜視図、図２は本発明に係る一実施の形態によるコネクタの正面，平面，右側面の外観を示す斜視図、図３は本発明に係る一実施の形態によるコネクタの内部構造を示す断面図、図４は本発明に係る一実施の形態によるコネクタの可動接片の外観を示す斜視図、図５の（Ａ）は本発明に係る一実施の形態によるコネクタの可動接片構造を示す断面図、（Ｂ）は（Ａ）の可動接片の動作状態を示す断面図である。なお、本実施の形態では、本発明を携帯型電子機器の電源ジャックに適用した場合について説明する。
【００１０】
図１〜図５において、本発明に係る一実施の形態による電源ジャック（コネクタ）１０は、カバー２０と、コンタクトピン３０と、コンタクトピン３０のストッパー４０と、固定接片５０と、可動接片６０と、これらを一体的に取り付ける合成樹脂製の絶縁体である略直方体状のボディ７０とから構成される。
【００１１】
ボディ７０は、その前側からプラグ（相手方コネクタ）を挿入嵌合して接続するためのプラグ挿入孔７１と、電源ジャック１０のプリント回路基板への実装時の位置決め用突起７２と、取り付ける各部品２０，３０，４０，５０，６０を位置決め及び固定する取付部とを設けている。
【００１２】
カバー２０は、その左右側部から下向きに延設するバンド片２１と、バンド片２１の下部に開設する係合孔２２と、バンド片２１からさらに下向きに延設する外部接続用の端子２３とを一体に形成している。一方、ボディ７０には、その左右側部にカバー２０の取付部として、バックル７３と、バックル７３の内側に突出する係合突起７４とを設けている。そして、端子２３をボディ７０の上方からバックル７３に挿通し、バンド片２２の下部をバックル７３に嵌合させて、係合孔７３と係合突起７４とを嵌合させることにより、端子２３をボディ７０の左右側部から下側に突出した状態で、カバー２０がボディ７０の上面に固定される。端子２３をプリント回路基板に半田付けで固定接続することにより、カバー２０でボディ７０の上部を押えて、電源ジャック１０がプリント回路基板に実装される。また、このカバー２０は、良導電性の金属薄板を打ち抜き及び曲げ加工して形成される。
【００１３】
コンタクトピン３０は、その基端から直角方向に延設する外部接続用の板状の端子３１を一体に形成している。一方、ボディ７０には、その後側面にコンタクトピン３０の取付部として、プラグ挿入孔７１の底面中心部に貫通する圧入孔７５と、端子３１の収容溝７６とを設けている。コンタクトピン３０をボディ７０の後方からピン圧入孔７５に圧入し、コンタクトピン３０の基端部をピン圧入孔７５に圧入固定することにより、端子３１の上部を収容溝７６に嵌合させ、端子３１の下部をボディ７０の後部から下側に突出した状態で、コンタクトピン３０がプラグ挿入孔７１の中心にその底面中心部から突出固定される。端子３１はプリント回路基板に半田付けで固定接続することにより実装される。また、このピンコンタクト３０は、良導電性の金属薄板を打ち抜き及び絞り（ピン部）及び曲げ加工して形成される。
【００１４】
ストッパー４０は、良導電性の金属薄板を打ち抜き加工して形成される。一方、ボディ７０には、その後端部上面にストッパー４０の取付部として、収容溝７６に貫通するストッパー圧入孔７７を設けている。ストッパー４０をボディ７０の上方からストッパー圧入孔７７に圧入し、ストッパー４０の上部をストッパー圧入孔７７に圧入固定することにより、ストッパー４０の下部を収容溝７６の上部に突出させて、コンタクトピン３０の基端に後側から当接させ、コンタクトピン３０が抜け止めされる。
【００１５】
固定接片５０は、その左側部から下向きに延設する外部接続用の端子５１を一体に形成している。一方、ボディ７０には、その後部に固定接片５０の取付部として、圧入孔７５より下側でプラグ挿入孔７１の底面に貫通する略水平なスリット状の取付溝７８を設けている。固定接片５０をボディ７０の後方から取付溝７８に圧入固定することにより、端子５１をボディ７０の後部右側に突出させ、端子５１の下部をボディ７０の後部右側から下側に突出した状態で、固定接片５０がボディ７０の後部に略水平に固定される。端子５１はプリント回路基板に半田付けで固定接続することにより実装される。また、この固定接片５０は、良導電性の金属薄板を打ち抜き及び曲げ加工して形成される。
【００１６】
可動接片６０は、取付片６１に対してその前端部から折り返し状に一体に形成され、この可動接片６０にはその中間部にプラグ接触部６２が一体に形成されると共に、先端部（後端部）に固定接片５０に対する可動接点６３が一体に形成されている。
【００１７】
また、取付片６１にはＨ形の切り込み６４が付けられ、この切り込み６４の中央横切り込み及びその中央横切り込みより後部の左右縦切り込みで囲われた取付片６１の後部で片持ち梁状のばね片が形成され、その片持ち梁状のばね片の先端部を上直角方向に折り曲げ形成することにより、取付片６１から可動接片６０のプラグ接触部６２の裏面側（下面側）に立ち上げて、可動接片６０の過剰な変位（撓み）を制限する突片６５と、その突片６５を先端部から立ち上げる片持ち梁状のばね片６６とが一体に形成されると共に、切り込み６４の中央横切り込み及びその中央横切り込みより前部の左右縦切り込みで囲われた取付片６１の前部で片持ち梁状のばね片が形成され、その片持ち梁状のばね片を根元部から取付片６１の裏面側（下面側）に傾斜状に起こすことにより、ばね片６６の位置決め用の爪片６７が形成されている。
【００１８】
さらに、取付片６１には、その後端右側部から下向きに延設する外部接続用の端子６８を一体に形成している。
【００１９】
一方、ボディ７０には、そのプラグ挿入孔７１の外周下側部に可動接片６０の取付部として、後部を取付溝７８の下側から一体的にボディ７０の後側面に貫通させると共に、後部をボディ７０の左側部にも貫通させる取付溝７９を設けている。可動接片６０をボディ７０の後方から取付溝７９に圧入し、端子６８をボディ７０の後部左側に突出させ、端子６８の下部をボディ７０の後部左側から下側に突出した状態で、取付片６１を取付溝７９の底部に圧入固定することにより、可動接片６０のプラグ接触部６２がボディ７０のプラグ挿入孔７１の内方へ突出されると共に、可動接片６０の可動接点６３が固定接片５０を下側から押圧しながら接触される。
【００２０】
また、この可動接片６０の取付状態において、取付片６１の裏面に対向する取付溝７９の底部には、ばね片６６に対向する部分をさらに一段下げる溝８０を形成し、この溝８０によって、ボディ７０とばね片６６との間に、ばね片６６を撓ませるための隙間８１を設けると共に、爪片６７に対向する部分をボディ７０の下面に貫通させる孔８２を形成し、この孔８２内に爪片６７を突出させて、爪片６７の先端部をプラグ挿入方向で突き当てる孔８２の後側壁面によって、爪片６７とでばね片６６を隙間８１の上に位置決めするためのボディ７０側の係合部８３を設けている。従って、取付片６１はその外周部を取付溝７９の内周部に接触（密着）させると共に、ばね片６６の裏面及び爪片６７の裏面を除く裏面を取付溝７９の底部に接触（密着）させた状態で、取付溝７９の底部に圧入固定される。
【００２１】
上記のように構成された本発明に係る一実施の形態による電源ジャック１０の組み立ては、ボディ７０に、可動接片６０、固定接片５０、コンタクトピン３０、ストッパ４０の順に取り付け、最後にカバー２０を取り付けて完了する。また、このように組み立てられた電源ジャック１０は、例えばデジタルカメラ等のプリント回路基板に実装された状態で使用される。
【００２２】
さらに、上記のように構成された本発明に係る一実施の形態による電源ジャック１０においては、プラグとの接続時に、そのプラグを前側からプラグ挿入孔７１に挿入嵌合することにより、プラグの内部導体がピンコンタクト２０の外側に挿入嵌合されて接触し、プラグの外部導体が可動接片６０のプラグ接触部６２を接触後に摺動して押し下げる。これに伴い、可動接片６０は取付片６１との連設部である前端の固定端を支点に下向きに撓み（揺動し）、プラグ接触部６２がプラグ外周導体を押圧しながら接触すると共に、可動接点６３が固定接片５０から下方に離反される。このとき、可動接片６０のプラグ接触部６２の裏面が突片６５の先端に接触しても、ばね片６６がボディ７０との隙間８１で撓むので、互いの接触面６２Ａ，６５Ａに生じる削れを低減することができる。従って、プラグとの繰り返しの挿抜（接続・分離）による抜去力（可動接片６０のプラグに対する接触圧）（分離力）低下を軽減することができる。
【００２３】
また、ばね片６６が撓む反力により、こじり強度が損なわれることなく、プラグとの繰り返しの挿抜による抜去力低下を軽減することができる。
【００２４】
一方、プラグとの分離時に、そのプラグをプラグ挿入孔７１から抜き去ると、可動接片６０は、自らのばね力によって元の位置に復帰して、可動接点６３が固定接片６３を下側から押圧しながら接触されると共に、プラグ接触部６２がプラグ挿入孔７１の内方に突出される。ここで、プラグの挿抜に応じた固定接片５０と可動接片６０の接離を電気的に検出することにより、プラグ挿入を検出するプラグ挿入検出スイッチが構成されている。
【００２５】
以上、本実施の形態は、本発明の好適な実施の形態の一例を示したが、本発明はそれに限定されることなく、その要旨を逸脱しない範囲内で種々変形実施することができる。
【図面の簡単な説明】
【００２６】
【図１】本発明に係る一実施の形態によるコネクタの正面，平面，左側面の外観を示す斜視図である。
【図２】本発明に係る一実施の形態によるコネクタの正面，平面，右側面の外観を示す斜視図である。
【図３】本発明に係る一実施の形態によるコネクタの内部構造を示す断面図である。
【図４】本発明に係る一実施の形態によるコネクタの可動接片の外観を示す斜視図である。
【図５】（Ａ）は本発明に係る一実施の形態によるコネクタの可動接片構造を示す断面図、（Ｂ）は（Ａ）の可動接片の動作状態を示す断面図である。
【図６】従来のコネクタの可動接片構造を示す断面図である。
【符号の説明】
【００２７】
１０  電源ジャック（コネクタ）
６０  可動接片
６１  取付片
６５  突片
６６  ばね片
６７  爪片
７０  ボディ（絶縁体）
８１  隙間
８３  係合部
【図１】
2008098018.tif 000003
【図２】
2008098018.tif 000004
【図３】
2008098018.tif 000005
【図４】
2008098018.tif 000006
【図５】
2008098018.tif 000007
【図６】
2008098018.tif 000008